(57)【要約】 【課題】 泡消火設備の発泡試験を泡を基本的に外部に流出させることなく行うことができるようにする。【解決手段】 二次側配管に接続された閉鎖型又は開放型泡ヘッドと、一次側配管の途中に設けられ、泡原液と水を混合して泡水溶液を生成する混合器とを有する泡消火設備において、流出検出手段３の二次側に試験用配管９を設け、試験用配管９の途中に常時閉の試験弁１１を設置するとともに、試験用配管９の先端に試験用泡ヘッド４Ａを開放状態で取り付け、試験用泡ヘッド４Ａを、下部にリザーブタンク１２ａを有する容器１２からなる発泡試験装置１３内に配置する。【選択図】図１
2006247431.tif 000002
【特許請求の範囲】
【請求項１】
一次側配管と二次側配管の間に設置された流出検出手段と、前記二次側配管に接続された閉鎖型又は開放型泡ヘッドと、前記一次側配管の途中に設けられ、泡原液と水を混合して泡水溶液を生成する混合器とを有する泡消火設備において、
前記流出検出手段の二次側に設けた試験用配管と、
該試験用配管の途中に設置された常時閉の試験弁と、
前記試験用配管の先端に開放状態で取り付けられた試験用泡ヘッドと、
該試験用泡ヘッドから放出される泡をため込む発泡試験装置を設けたことを特徴とする泡消火設備。
【請求項２】
前記試験用泡ヘッドを囲む容器を備え、泡を外部に流出させることなく発泡試験を行うことを特徴とする請求項１記載の泡消火設備。
【請求項３】
前記発泡試験装置は、リザーブタンクを有することを特徴とする請求項１又は２いずれかに記載の泡消火設備。
【請求項４】
前記リザーブタンクは、前記流出検出手段と前記混合器の間に補助ポンプを介して接続されていることを特徴とする請求項３記載の泡消火設備。
【請求項５】
一次側配管と、二次側配管との間に設置された流出検出手段と、前記二次側配管に接続された開放型泡ヘッドと、弁開放用のシリンダ室を有し、前記流出検出手段の二次側に設置された一斉開放弁と、一端が前記一斉開放弁のシリンダ室に接続されるとともに、途中に火災感知用の閉鎖型スプリンクラヘッドと常時閉の起動弁が接続された火災検知用配管と、前記一次側配管の途中に設けられ、泡原液と水を混合して泡水溶液を生成する混合器とを有する泡消火設備において、
前記一斉開放弁と開放型泡ヘッドの間に設置された常時開の仕切弁と、前記一斉開放弁と前記仕切弁の間に分岐させて設けた試験用配管と、該試験用配管の途中に設置された常時閉の試験弁と、前記試験用配管の先端に取り付けられた開放型試験用泡ヘッドと、該開放型試験用泡ヘッドを囲む容器からなる発泡試験装置とを備えたことを特徴とする泡消火設備。
【発明の詳細な説明】
【技術分野】
【０００１】
本発明は、発泡試験を泡を基本的に外部に流出させることなく行うことのできる泡消火設備に関するものである。
【背景技術】
【０００２】
従来より、火災を泡にて消火する泡消火設備が知られている。この泡消火設備は、空気と可燃物（例えば油）との接触を泡によって防ぎ、これによる窒息作用と泡に含まれる水分による冷却作用によって消火するものである。
【０００３】
このような泡消火設備においては、定期的に設備の点検を行う必要がある。点検内容は、手動起動弁を動作させて、流水検知装置がきちんと動作するか、泡ヘッドから泡が放出されるか（発泡試験）、放出された泡は所定時間泡の状態を保ってから水溶液に還元するか（性能試験）等である。
【特許文献１】特開平４−２７６２７２号公報
【発明の開示】
【発明が解決しようとする課題】
【０００４】
このように、従来の泡消火設備では、定期的に手動起動弁を動作させて設備の点検を行い、流水検知装置の検査や発泡試験、性能試験を行っている。しかしながら、この点検を行うと、防護区域全体に泡が放出されるため、後始末が面倒である。更に防護区域全体に泡が放出されると、泡が水溶液に還元した場合、下水に排水される量が多くなる。
【０００５】
本発明の技術的課題は、泡消火設備の点検時に泡を基本的に外部に流出させることなく点検を行うことができるようにすることにある。
【課題を解決するための手段】
【０００６】
本発明は、一次側配管と二次側配管の間に設置された流出検出手段と、前記二次側配管に接続された閉鎖型又は開放型泡ヘッドと、前記一次側配管の途中に設けられ、泡原液と水を混合して泡水溶液を生成する混合器とを有する泡消火設備において、流出検出手段の二次側に設けた試験用配管と、該試験用配管の途中に設置された常時閉の試験弁と、
前記試験用配管の先端に開放状態で取り付けられた試験用泡ヘッドと、該試験用泡ヘッドから放出される泡をため込む発泡試験装置を設けたことを特徴とするものである。
【０００７】
本発明は、一次側配管と、二次側配管との間に設置された流出検出手段と、前記二次側配管に接続された開放型泡ヘッドと、弁開放用のシリンダ室を有し、前記流出検出手段の二次側に設置された一斉開放弁と、一端が前記一斉開放弁のシリンダ室に接続されるとともに、途中に火災感知用の閉鎖型スプリンクラヘッドと常時閉の起動弁が接続された火災検知用配管と、前記一次側配管の途中に設けられ、泡原液と水を混合して泡水溶液を生成する混合器とを有する泡消火設備において、一斉開放弁と開放型泡ヘッドの間に設置された常時開の仕切弁と、前記一斉開放弁と前記仕切弁の間に分岐させて設けた試験用配管と、該試験用配管の途中に設置された常時閉の試験弁と、前記試験用配管の先端に取り付けられた開放型試験用泡ヘッドと、該開放型試験用泡ヘッドを囲む容器からなる発泡試験装置とを備えたことを特徴とするものである。
【発明の効果】
【０００８】
本発明によれば、泡消火設備における発泡試験を、泡を外部に流出させることなく行うことができ、発泡試験のために防護区域全体に泡が放出されることがなくなる。更にリザーブタンクに貯留した泡水溶液を再利用することが可能となって、下水への排水処理の必要がなくなる。
【発明を実施するための最良の形態】
【０００９】
実施形態１．
以下、図示実施形態に基づき本発明を説明する。図１は本発明の第１の実施形態に係る泡消火設備を示す模式図である。
【００１０】
本実施形態の泡消火設備は、一次側配管１と、防護区画毎に配設された二次側配管２と、一次側配管１と各二次側配管２の間にそれぞれ設置された流出検出手段としての流水検知装置３と、二次側配管２の複数箇所に接続された閉鎖型泡ヘッド４と、一次側配管１の途中に設けられ、泡原液タンク５からの泡原液とポンプ６により汲み上げられる水槽７からの水を混合して泡水溶液を生成する混合器８と、流水検知装置３と閉鎖型泡ヘッド４の間に二次側配管２から分岐させて設けた試験用配管９と、試験用配管９の途中に設置された常時閉の試験弁１１と、試験用配管９の先端に開放状態で取り付けられた試験用泡ヘッド４Ａと、試験用泡ヘッド４Ａを囲む容器１２からなり、かつ下部に試験用泡ヘッド４Ａから放出される泡をため込むリザーブタンク１２ａを有する発泡試験装置１３とを備えている。なお試験用泡ヘッド４Ａは、閉鎖型泡ヘッド４が火災を検知して開放状態にあるもの、つまりグラスバルブ等の感熱部を有しないものが使用される。また容器１２の上部は、試験用泡ヘッド４Ａよりも高い位置にあればよく、必ずしも試験用泡ヘッド４Ａを囲む必要はない。
【００１１】
泡原液タンク５は、内部がダイアフラム５ａによって上下２室に隔離され、下部室５ｂ内に泡原液が貯留されるとともに、上部室５ｃ内にポンプ６からの水の一部が流入するように構成され、上部室５ｃ内に流入した水が作動流体となって、流入水と同量の泡原液を混合器８に送り出すようになっている。
【００１２】
混合器８の二次側配管には、逆止弁１４が設置され、補助ポンプ１８が起動される際、リザーブタンク１２ａ内の泡水溶液が混合器８側へ流入するのを防止している。
【００１３】
ポンプ６の二次側の一次側配管１には圧力空気槽１５が接続され、圧力空気槽１５にその内部圧力の低下を検出する圧力スイッチ１６が接続されており、圧力スイッチ１６の信号線がポンプ６を制御するポンプ制御盤１７に接続されている。したがって、配管内の圧力低下により圧力空気槽１５内の圧力が低下すると、これを圧力スイッチ１６が検知してポンプ制御盤１７に知らせ、ポンプ制御盤１７によって直ちにポンプ６が起動されるようになっている。
【００１４】
リザーブタンク１２ａは、流水検知装置３と混合器８の間、ここでは逆止弁１４を設けているため流水検知装置３と逆止弁１４の間に、補助ポンプ１８を介して接続されており、発泡試験時にリザーブタンク１２ａに貯留される泡水溶液を回収することなく再利用できるようになっている。
【００１５】
発泡試験装置１３の容器１２の上部には、発泡試験時に容器１２内で発泡した泡を外部に取り出す手段である扉１９が設けられているとともに、扉１９の直下に平板によってスロープ２１が形成され、取り出した泡をスロープ２１上を伝って下方へ流すことにより下方で泡を採集できるようにしていて、泡水溶液の性能試験を行えるようになっている。なお、ここでは泡を外部に取り出す手段として扉１９を例に挙げて説明したが、その他にも例えば容器１２上部に、試験用泡ヘッド４Ａの下方空間に所定量突出する奥行き寸法を有する引き出しを設置する等、種々のものを採用できることは言うまでもなく、適宜選択すればよい。
【００１６】
本実施形態の泡消火設備の点検は以下のように行われる。まず試験用配管９の途中に設置されている常時閉の試験弁１１を手動あるいは遠隔操作により開いて、泡消火設備のシステムを擬似的に火災発生状態下におく。二次側配管２には泡水溶液が封入されており、試験弁１１を開くと試験用泡ヘッド４Ａから泡となって放出される。これにより、二次側配管２内の圧力が低下すると、流水検知装置３が動作して、図示しない監視盤に流水信号を出力する。流水検知装置３から流水信号出力があれば、監視盤の表示装置により確認できるので、流水検知装置３が正常に動作したことがわかる。
【００１７】
また、一次側配管１の圧力が低下すると、圧力空気槽１５内の圧力が低下する。この圧力空気槽１５内の圧力低下は、圧力スイッチ１６によって検知され、圧力が低下したことがポンプ制御盤１７に知らせられる。ポンプ制御盤１７は、圧力スイッチ１６からの信号が入力すると、直ちにポンプ６を起動させ、混合器８により泡水溶液を生成させて、泡水溶液の供給を開始させる。
【００１８】
容器１２内で試験用泡ヘッド４Ａから放出された泡や水溶液に還元された泡水溶液は、発泡試験装置１３のリザーブタンク１２ａに全て貯留され、次回の発泡試験時に、再利用される。この再利用は、点検時に圧力スイッチ１６が圧力低下を検知して、ポンプ制御盤１７に圧力低下信号が入力したら、ポンプ６を起動させるかわりに、補助ポンプ１８を起動することで行われる。またリザーブタンク１２ａ内に水位センサを設け、あるいはリザーブタンク１２ａと補助ポンプ１８との間の配管内に泡水溶液の存在を検出する一対の電極からなるフロースイッチを設け、火災時に、初めに補助ポンプ１８を起動させて、リザーブタンク１２ａ内の泡水溶液がなくなったことを水位センサあるいはフロースイッチの出力により検知したら、ポンプ６を起動させるようにしてもよい。
【００１９】
泡水溶液の性能試験は、発泡試験装置１３の容器１２内に泡が充満している状態で扉１９を開け、泡の一部を取り出し、取り出した泡をそのままスロープ２１上を下方へ流し、その泡を箱等で採集して、泡が所定時間泡の状態を保っているか、また発泡倍率が適正であるかを確認する。
【００２０】
このように、本実施形態の泡消火設備においては、流水検知装置３の二次側、即ち閉鎖型泡ヘッド４の手前に分岐させて試験用配管９を設け、試験用配管９の途中に常時閉の試験弁１１を設置するとともに、試験用配管９の先端に試験用泡ヘッド４Ａを開放状態で取り付け、試験用泡ヘッド４Ａを、下部にリザーブタンク１２ａを有する容器１２からなる発泡試験装置１３内に配置することにより、火災発生を閉鎖型泡ヘッド４で感知する方式の泡消火設備における発泡試験を、泡を外部に流出させることなく行うことができ、発泡試験のために防護区域全体に泡が放出されることがなくなる。
【００２１】
また、リザーブタンク１２ａに貯留した泡水溶液を再利用することができ、下水への排水処理の必要がなくなる。
【００２２】
実施形態２．
図２は本発明の第２の実施形態に係る泡消火設備を示す模式図であり、前述の第１実施形態のものと同一部分には同一符号を付してある。
【００２３】
この実施形態の泡消火設備は、防護区画毎に配設された二次側配管２に接続される泡ヘッドに開放型泡ヘッド３１を用い、一次側配管１と各二次側配管２の間にそれぞれ設置された流水検知装置３の二次側に、弁開放用のシリンダ室を有する一斉開放弁３２を設置し、一斉開放弁３２のシリンダ室には、途中に火災感知用の閉鎖型スプリンクラヘッド３３と常時閉の起動弁３４が接続された火災検知用配管３５の一端を接続している。
【００２４】
そして、一斉開放弁３２と開放型泡ヘッド３１の間には、常時開の仕切弁３６を設置するとともに、一斉開放弁３２と仕切弁３６の間に分岐させて試験用配管９Ａを設け、試験用配管９Ａの途中には、常時閉の試験弁１１Ａを設置し、更に試験用配管９Ａの先端に、発泡試験装置１３の容器１２内に位置させて前記開放型泡ヘッド３１と同じ型の開放型試験用泡ヘッド３１Ａを取り付けて構成されている。それ以外の構成は、前述の第１実施形態のものと同様である。
【００２５】
この実施形態の泡消火設備の点検は以下のように行われる。まず一斉開放弁３２と開放型泡ヘッド３１の間に設置してある常時開の仕切弁３６を手動あるいは遠隔操作により閉じるとともに、試験用配管９Ａに設置してある常時閉の試験弁１１Ａを手動あるいは遠隔操作により開き、この状態で火災検知用配管３５に設置してある常時閉の起動弁３４を手動あるいは遠隔操作により開いて、泡消火設備のシステムを擬似的に火災発生状態下におく。
【００２６】
このようにして、一斉開放弁３２の二次側配管２を開放型試験用泡ヘッド３１Ａを介して発泡試験装置１３と接続した状態で、起動弁３４を開くと、火災検知用配管３５に封入してある加圧水または圧縮空気が流出する。火災検知用配管３５に封入してある加圧水または圧縮空気が流出すると、火災検知用配管３５内の圧力が低下して一斉開放弁３２が開放し、一斉開放弁３２の一次側と二次側が連通し、一斉開放弁３２の一次側配管に封入してある泡水溶液が試験用配管９Ａへと流れ、開放型試験用泡ヘッド３１Ａから泡となって放出される。これにより、流水検知装置３が動作し、図示しない制御盤に流出信号を出力する。流水検知装置３から流出信号出力があれば、制御盤の表示装置により確認できるので、流水検知装置３が正常に動作したことがわかり、延いては一斉開放弁３２が正常に動作したことを確認することができる。
【００２７】
また、一次側配管１の圧力低下を、圧力空気槽１５の圧力スイッチ１６が検知し、ポンプ制御盤１７に圧力低下信号を出力し、ポンプ６が起動され、混合器８により泡水溶液を生成させて泡水溶液の供給を開始させる。そして、容器１２内で開放型試験用泡ヘッド３１Ａから放出された泡や水溶液に還元された泡水溶液は、発泡試験装置１３下部のリザーブタンク１２ａに貯留される。
【００２８】
このように、一斉開放弁３２と仕切弁３６の間に分岐させて試験用配管９Ａを設け、試験用配管９Ａの途中に常時閉の試験弁１１Ａを設置するとともに、試験用配管９Ａの先端に開放型試験用泡ヘッド３１Ａを取り付け、開放型試験用泡ヘッド３１Ａを、下部にリザーブタンク１２ａを有する容器１２からなる発泡試験装置１３内に配置することにより、火災発生を閉鎖型スプリンクラヘッド３３で感知して、開放型泡ヘッド３１より泡を放出する方式の泡消火設備における発泡試験を、泡を外部に流出させることなく行うことができ、発泡試験のために防護区域全体に泡が放出されることがなくなる。更にリザーブタンク１２ａに貯留した泡水溶液は、再利用することが可能であり、下水への排水処理の必要もなくなる。なお仕切弁３６と試験弁１１Ａを三方切換弁で構成してもよい。
【００２９】
なお、前述の第１実施形態において、試験用配管は閉鎖型泡ヘッドの手前で手前で分岐させなくてよく、例えば二次側配管の末端に試験用配管を設けてもよい。
【００３０】
また、前述の第２実施形態では火災感知用の閉鎖型スプリンクラヘッドと一斉開放弁を備えた泡消火設備を例に挙げて説明したが、次のような消火設備にも本発明を適用可能である。つまり流出検出手段として、流水検知機能付きの常時閉の弁を設け、この弁を防護区画に設けた火災感知器が火災を検知した時に開放させる方式の消火設備にも本発明を適用することができる。
【００３１】
リザーブタンクは、流出検出手段と混合器の間に補助ポンプを介して接続したので、前回の発泡試験時にリザーブタンクに貯留した泡水溶液の再利用が容易となる。
発泡試験装置に、該発泡試験装置内で発泡した泡を外部に取り出す手段を設けたので、泡水溶液の性能試験が容易となる。
【図面の簡単な説明】
【００３２】
【図１】本発明の第１実施形態に係る泡消火設備を示す模式図である。
【図２】本発明の第２実施形態に係る泡消火設備を示す模式図である。
【符号の説明】
【００３３】
１ 一次側配管、  ２ 二次側配管、  ３ 流水検知装置（流出検出手段）
４ 閉鎖型泡ヘッド、  ４Ａ 試験用泡ヘッド、  ８ 混合器、
９，９Ａ 試験用配管、  １１，１１Ａ 常時閉の試験弁、  １２ 容器、
１２ａ リザーブタンク、  １３ 発泡試験装置、  １８ 補助ポンプ、
１９ 扉（泡取り出し手段）、  ３１ 開放型泡ヘッド、
３１Ａ 開放型試験用泡ヘッド、  ３２ 一斉開放弁、
３３ 火災感知用の閉鎖型スプリンクラヘッド、  ３４ 常時閉の起動弁
３５ 火災検知用配管、  ３６ 常時開の仕切弁、ｔｔ
【図１】
2006247431.tif 000003
【図２】
2006247431.tif 000004